(57)【要約】      （修正有）【課題】子供や老人でも安全に屋外へ脱出避難出来、停電でも確実に作動する避難装置の提供。【解決手段】  すべり台を普段は折りたたんでいて、いざという時にワイヤーを引くだけで、おもりの力とテコの力で、すべり台をスライドさせて、その上をすべり、脱出避難する。【選択図】  図１
2005095535.tif 000002
【特許請求の範囲】
【請求項１】
二階建て、又は、二階建ての窓の下や、ベランダ及び非常階段の一階部分等に設置してあって、火災時や緊急避難時に脱出避難出来て、非常階段にあっては普段は閉じているので侵入者防止にもなり、おもりと爪かけブレーキ型のウインチ２台を使い、折りたためて、スライドする避難用すべり台。
【請求項２】
建物側に取付ける家側本体の中には、第１すベり台と第２すべり台を押し出す為のアームが有り、このアームを動かせる為のおもりがある。このおもりは爪かけブレーキ型のウインチ一台で吊り下げられている。又、第２すべり台も、もう一台の爪かけ型のウインチ一台で吊り下げられており、いずれのウインチもエル形ロックで第１すべり台が止められているので少しの力で簡単に避難者が作動用ワイヤーを引くとロックが外れて、勾配付の助走板とおもりの力でアームを押し出す為に第１すべり台が前に出るので中にある第２すべり台がスライドして出て来るので二段式のすべり台になり避難者がこれをすべって避難出来る装置。
【請求項３】
第２すべり台は内蔵されているワイヤーにより、定位置で止まり抜ける事はない。収納時は、第２すべり台がいつも地面よりも浮いているように、おもり用ウインチと、第２すべり台用ウインチを交互に巻き上げるようにした請求項１記載の避難用すべり台。
【発明の詳細な説明】
【技術分野】
【０００１】本発明は、一般住宅や、その他の建物で火災及び緊急避難時に電気を使用せずに避難するための、おもり式の避難用すべり台に関する。
【技術背景】
【０００２】従来の火災時の避難用具は緩降機や伸縮式の梯子及び避難梯子、避難ロープ、らせん型の、すべり台、袋状のシューター等がある。
【技術の開示】
【発明が解決しようとする課題】
【０００３】従来の避難用具のうち緩降機は一人しか降ろせず時間がかかり、又、吊り降ろす為、避難者は大変な恐怖感がある。伸縮式の梯子は上がるのは良いが、降りるのは女性や老人、子供等には使いにくい。避難梯子、避難ロープも、老人、女性、子供には使いにくい。らせん型のすべり台は設置場所が広く必要であるのと、老人等には目がまわって使いにくいと言われる。又、シューターは下に設置する人と、上で送り込む人間が必要であり、袋に入って降下時に摩擦による肘や尻のやけど、幼児などは体が小さいので早く降下して、怪我をする可能性があった。
【０００４】さらに多くの火災の場合は、深夜、早朝に起こっている。この就寝時間帯では急には、動けない。まして、子供、老人等は避難出来ず、新建材の燃えた青酸ガス等で死傷者が多く出ている。
【０００５】本発明はこのような従来の問題を解決しようとするものであり、子供や老人でも一秒でも早く、安全に屋外へ脱出避難出来て、しかも停電でも確実に作動する避難装置を実現することを目的とするものである。
【課題を解決するための手段】
【０００６】本発明は上記目的を達成する為の、おもり式の避難用すべり台は外壁に収納されているので普段は邪魔にならず、おもりを利用しているので停電でも作動することを基本的特徴とする。
【発明の効果】
【０００７】電機を使わないので停電でも安心である。
【０００８】子供でも老人でも使いやすい、すべり台式なので難しい操作が不要である。
【０００９】何人でも使用出来て短時間で避難出来る。
【００１０】いわゆるローテクなので電磁波、振動、落雷等の影響を受けない。
【００１１】エネルギーを使わないので、経済的で環境にやさしい。
【００１２】構造が簡単なので故障が無くメンテナンスが楽である。
【００１３】折りたたみ式なのでわずかのスペースで設置出来る。
【発明を実施するための最良の形態】、
【実施例】
【００１４】以下、本発明の実施の形態を図１〜図１０に基づいて説明する。【００１５】図１においてコ型の家側本体２５の中におもりストッパー２６が両側にあり、その上部にはおもり受け用クッション２７がある。さらに第１すべり台２９の中にある第２すべり台３０を軽く押し出す為の勾配付の助走板３６がある。【００１６】また家側本体２５の横には二つのすべり台を止めておく為のエル形ロック４０がありこれには作動用ワイヤー４１を止める為の穴の作動用ワイヤー取付け位置の４４があり、ロック受け４８を引っ掛ける為のロック掛け４５がある。【００１７】又、作動用ワイヤー４１を動かせる為の支点４２がありロック軸４６に入る。【００１８】また３９のコイルスプリングを止める４７のコイルスプリングエル形ロック側取付け位置がある。なお、コイルスプリング３９の右端は家側本体２５の右下にある４３のコイルスプリング家側本体取付け位置の穴に取付けられる。【００１９】また２５の家側本体の上部には家側本体シャフト穴５８がある。【００２０】またその奥にはおもりの機構を上下させる為の仕切として２８のアングルがある。【００２１】また仕切の中のおもり機構としては図２に示すように１のおもりを入れる５１のおもりケースがある。【００２２】このおもりケース５１の下には第１すべり台を押し出す為の２４アームがあり、これを自在に上下に首を振らせる為に５２のアーム受け用穴がある。【００２３】この穴に２３アーム受けを通し２２のアーム回転部を受けて５１おもりケースのそこに溶接する。【００２４】おもりケース５１を吊るす為の４９のおもり用フツク受けが１７のよりもどき付おもり用フックのかんを通りおもり用フック取付け穴５０に固定される。【００２５】おもり用ワイヤー１４は１７よりもどき付おもり用フックの上のかんを通り５３おもり」用ワイヤークリップで固定される。【００２６】アーム２４の下には第１すべり台２９の下側に取付ける３７蝶番がある。【００２７】また家側本体２５の上には６７の滑車台、その上には２０の天蓋がある。【００２８】また家側本体２５を建物に取付ける為の金具として６２の家側本体取付け金具がある。【００２９】また家側本体２５の上部裏には１０のウインチ収納ボックスがある。【００３０】図３において第１すべり台２９の上部には第１すべり台シャフト穴６１がある。【００３１】シャフト１９は両端に脱落防止の為のシャフトストッパー穴５６があり、シャフトストッパーボルト５４が通り、シャフトストッパーナット５５で締め付けている。【００３２】また第１すべり台２９の下には４５ロック掛けを受ける為の４８ロック受けがある。【００３３】また第１すべり台２９の側面には３１第１すべり台側板を有し、その上には３２第１すべり台手摺りが固定される。【００３４】第２すべり台３０の上部には１８よりもどき付第２すべり台用フックが固定され、その中に１３の第２すべり台用ワイヤーが通され、５７の第２すべり台用ワイヤークリップで固定されている。【００３５】３３の第２すべり台手摺りは、下部に３４の手摺り固定金具が入り固定されて、３２の第１すべり台手摺りに挿入された後に６５の手摺り固定金具取付け位置に固定される。【００３６】第２すべり台３０の底面には３５のキャスターが取付けられる。【００３７】図４はすべり台下部の側面図である。４１の作動用ワイヤーを引く前である。図５は作動用ワイヤー４１を引いたときの各部の側面図である。３５のキャスターは３６の勾配付の助走板に乗っている為に４１の作動用ワイヤーを引きロック掛け４５が外れれば、おもり１の力と３６の助走板の勾配とで走り出す様子を示した図である。【００３８】図６はおもり用ウインチ２と第２すべり台用ウインチ３の斜視図である。請求項３に記載したように、すべり台収納時は第２すべり台３０がいつも地面よりも少し浮いているように巻上げて、おもり用ウインチ２と３の第２すべり台用ウインチを交互に巻上げるようにする。また、こうしないとハンドル同士が接触する。【００３９】図５における３６の助走板まで引寄せたら手で押し込み４５のロック掛けで止める。【００４０】また、ロックが掛かれば、１３の第２すべり台用ワイヤーと１４のおもり用ワイヤーには負荷が掛かっていない。【００４１】図６のようにすべり台を収納したら、いつでも、子供でも、軽く操作出来るように、５のおもり用ウインチラチェットレバーと８の第２すべり台用ウインチラチェットレバーを解除しておく。【００４２】この時少しハンドルを右に回し、軽く巻上げるようにしてから、ラチェットレバーを解除すると簡単に外れる。【００４３】この解除した時にハンドルは、左に回そうとする力が掛かるが、ゆっくり数回左へ回すと、すぐその力もなくなる。１１のウインチ収納ボックス背板により、ワイヤーが外れたり、絡まる事はない。【００４４】さらにハンドル止めナット６６を外して７の第２すべり台用ウインチハンドルを外す。これはすべり台が開く時にハンドルが回されて、ハンドル同士が接触しないようにするためのものである。【００４５】図７において避難用すべり台の断面図である。３８の家と２５の家側本体との間の６２家側本体取り付け金具は省略している。【００４６】図８は避難者６３がベランダへ出て作動用リング６４を引こうとしている図である。【００４７】図９は避難者６３が作動用リング６４を引き、１のおもりが降下して、すべり台が開き始めている図である。【００４８】図１０は、すべり台が約５秒位で開くので避難者６３が避難を開始している図である。【００４９】本発明の特徴である、何人でも避難出来るという図である。【００５０】以下、上記構成の動作を説明する。避難者６３が、作動用ワイヤー４１に取付けている６４の作動用リングを引けば、シャフト１９の上を介して４４の作動用ワイヤー取付け位置が上に上がりロック受け４８が外れて、３６の助走板に乗っていたキャスター３５が前に走り出す。これと同時におもり１が降下を始め、２４のアームを下に押し下げる。これにより、第１すべり台２９は３７の蝶番を支点とし、上に持ち上げられる。これにより、中にある第２すべり台３０がスライドして出て来る。おもりケース５１が２７のおもり受け用クッションに当たり停止する。【００５１】この時第２すべり台３０は内蔵されているワイヤーの長さを３のウインチで設定しているので定位置で止まり、抜ける事はない。【００５２】また収納時は第２すべり台がいつも地面よりも少し浮いているように巻上げる。こうしないと引っ掛かって引き寄せられない。おもり用ウインチ２と第２すべり台用ウインチ３を交互に巻上げて３６の助走板近くまで引寄せる。【００５３】以上のように本実施形態によれば停電でも安全に、いわゆる災害弱者といわれる子供、老人、女性に使いやすい避難装置として提供出来るものである。
【図面の簡単な説明】寸法、形状の比例関係は分かりやすくする為に誇張して描いている箇所もある。【００５４】
【図１】本発明の実施形態を示す避難用すべり台の分解図である。
【図２】同じく避難用すべり台の、おもり機構の分解図である。
【図３】同じく避難用すべり台の第１すべり台と第２すべり台の分解図である。
【図４】同じく避難用すべり台下部の断面図で作動させる前の図である。
【図５】同じく避難用すべり台下部の断面図で作動用ワイヤーを引き、動き始めた図である。
【図６】同じく避難用すべり台上部のウインチ２台の斜視図である。
【図７】同じく避難用すべり台を収納している時の断面図である。
【図８】同じく火災が発生し避難用すべり台を使用して脱出しようとしている避難者の図である。
【図９】同じく火災が発生し避難者が避難用すべり台の作動用リングを引き、すべり台を開かせている図である。
【図１０】同じく避難者が避難用すべり台を使って避難している図である。
【符号の説明】
【００５５】  １    おもり
２    おもり用ウインチ
３    第２すべり台用ウインチ
４    おもり用ウインチハンドル
５    おもり用ウインチラチェットレバー
６    おもりようウインチリール
７    第２すべり台用ウインチハンドル
８    第２すべり台用ウインチラチェットレバー
９    第２すべり台用ウインチリール
１０    ウインチ収納ボックス
１１    ウインチ収納ボックス背板
１２    ウインチ取付け台
１３    第２すべり台用ワイヤー
１４    おもり用ワイヤー
１５    第２すべり台用滑車
１６    おもり用滑車
１７    よりもどき付おもり用フック
１８    よりもどき付第２すべり台用フック
１９    シャフト
２０    天蓋
２１    補助すべり台
２２    アーム回転部
２３    アーム受け
２４    アーム
２５    家側本体
２６    おもりストッパー
２７    おもり受け用クッション
２８    アングル
２９    第１すべり台
３０    第２すべり台
３１    第１すべり台側板
３２    第１すべり台手摺り
３３    第２すべり台手摺り
３４    手摺り固定金具
３５    キャスター
３６    助走板
３７    蝶番
３８    家
３９    コイルスプリング
４０    エル形ロック
４１    作動用ワイヤー
４２    作動用ワイヤー支点
４３    コイルスプリング家側本体取り付け位置
４４    作動用ワイヤー取り付け位置
４５    ロック掛け
４６    ロック軸
４７    コイルスプリングエル形ロック側取付け位置
４８    ロック受け
４９    おもり用フック受け
５０    おもり用フック取付け穴
５１    おもりケース
５２    アーム受け用穴
５３    おもり用ワイヤークリップ
５４    シャフトストッパーボルト
５５    シャフトストッパーナット
５６    シャフトストッパー穴
５７    第２すべり台用ワイヤークリップ
５８    家側本体シャフト穴
５９    おもり用ウインチワイヤー穴
６０    第２すべり台用ワイヤー穴
６１    第１すべり台シャフト穴
６２    家側本体取付け金具
６３    避難者
６３ａ  避難者
６４    作動用リング
６５    手摺り固定金具取付け位置
６６    ハンドル止めナット
６７    滑車台
６８    滑車受け穴
【図１】
2005095535.tif 000003
【図２】
2005095535.tif 000004
【図３】
2005095535.tif 000005
【図４】
2005095535.tif 000006
【図５】
2005095535.tif 000007
【図６】
2005095535.tif 000008
【図７】
2005095535.tif 000009
【図８】
2005095535.tif 000010
【図９】
2005095535.tif 000011
【図１０】
2005095535.tif 000012